(57)【要約】【課題】ユーザーの身体上の特定の部位など、ユーザーの視界内の対象に対して推定又は診断された結果を視覚的に表示する。【解決手段】画像表示装置１００（並びに３００）は、ユーザーの視線方向の画像を外側カメラ５１２で撮影すると、その撮影画像に含まれる対象（例えば、ユーザーの手のひらや顔など、人の身体上の特定の部位）を画像解析することによって行なわれた推定又は診断の結果を、ユーザーが眺める現実世界の風景に重ね合わせてシースルー表示（ビデオ・シースルー表示を含む）することで、ユーザーに対象の推定又は診断結果を分かり易く提示するようにしている。【選択図】  図１０
2014140097.tif 000002
【特許請求の範囲】
【請求項１】
画像を表示する画像表示部と、
画像を入力する画像入力部と、
前記画像入力部に入力された画像を判定し、又は、前記入力された画像に対する判定結果を取得する判定部と、
前記判定部による前記判定結果に基づいて前記画像表示部を制御する制御部と、
を具備する、頭部又は顔部に装着型の画像表示装置。
【請求項２】
カメラをさらに備え、
前記画像入力部は、前記カメラで撮影した画像を入力する、
請求項１に記載の画像表示装置。
【請求項３】
前記カメラは、ユーザーの視線方向又はユーザーの身体の少なくとも一部を撮影する、
請求項２に記載の画像表示装置。
【請求項４】
画像を記憶する記憶部をさらに備え、
前記画像入力部は、前記記憶部から読み出した画像を入力する、
請求項１に記載の画像表示装置。
【請求項５】
外部装置と通信する通信部をさらに備え、
前記画像入力部は、前記通信部を介して外部装置から取得した画像を入力する、
請求項１に記載の画像表示装置。
【請求項６】
前記画像表示部は、前記画像をシースルーで表示し、
前記画像入力部は、ユーザーの視線方向をカメラで撮影した撮影画像を入力し、
前記判定部は、前記撮影画像中の特定の部位を判定し、
前記制御部は、前記ユーザーの視界上の前記特定の部位に重なり合うように、前記判定結果を前記画像表示部に表示させる、
請求項１に記載の画像表示装置。
【請求項７】
前記画像表示部はユーザーの視線方向をカメラで撮影した撮影画像を表示するとともに、前記画像入力部は前記撮影画像を入力し、
前記判定部は、前記撮影画像中の特定の部位を判定し、
前記制御部は、前記判定結果を前記撮影画像中の前記特定の部位に重ね合わせて表示させる、
請求項１に記載の画像表示装置。
【請求項８】
前記判定部による判定結果、又は、前記判定結果に基づいて制御された画像を記憶する記憶部をさらに備える、
請求項１に記載の画像表示装置。
【請求項９】
前記判定部は、前記入力された画像中の特定の部位の特徴に基づく診断を行ない、
前記制御部は、前記診断の結果を前記画像表示部が表示する画像中で前記特定の部位に該当する場所に重ね合わせて表示させる、
請求項６又は７のいずれかに記載の画像表示装置。
【請求項１０】
前記判定部は、前記入力された画像に含まれる手のひらの手相線に対して手相診断を行ない、
前記制御部は、前記手相診断の結果を前記画像表示部が表示する画像中で前記手相線に該当する場所に重ね合わせて表示させる、
請求項６又は７のいずれかに記載の画像表示装置。
【請求項１１】
前記入力された画像に含まれる手のひらから手相線を抽出する特徴量抽出部をさらに備え、
前記判定部は、前記特徴量抽出部が抽出した手相線に基づいて手相診断を行なう、
請求項１０に記載の画像表示装置。
【請求項１２】
前記制御部は、前記特徴量抽出部が抽出した手相線を前記画像表示部が表示する画像に重ね合わせて表示させる、
請求項１１に記載の画像表示装置。
【請求項１３】
前記画像入力部は、左右の手のひらを含んだ画像を入力し、
前記判定部は、前記の入力された画像から左右の手相を診断する、
請求項１０に記載の画像表示装置。
【請求項１４】
前記入力された画像に含まれる手のひらから手相線を抽出する特徴量抽出部をさらに備え、
前記制御部は、左右のうち一方の手のひらから抽出した手相線を左右反転して、他方の手のひらの手相線と重ね合わせて表示させる、
請求項１３に記載の画像表示装置。
【請求項１５】
前記判定部は、前記入力された画像に含まれる手の少なくとも１つの指の付け根の掌丘を診断し、
前記制御部は、前記診断の結果を前記画像表示部が表示する画像中で前記掌丘に該当する場所に重ね合わせて表示させる、
請求項６又は７のいずれかに記載の画像表示装置。
【請求項１６】
前記判定部は、前記入力された画像に含まれる手の少なくとも１つの指の長さを診断し、
前記制御部は、前記診断の結果を前記画像表示部が表示する画像中で該当する指に重ね合わせて表示させる、
請求項６又は７のいずれかに記載の画像表示装置。
【請求項１７】
前記判定部は、前記入力された画像に含まれる顔画像に対して顔相診断を行ない、
前記制御部は、前記顔相診断の結果を前記画像表示部が表示する画像中で前記顔相診断の根拠となる場所に重ね合わせて表示させる、
請求項６又は７のいずれかに記載の画像表示装置。
【請求項１８】
前記判定部は、前記入力された画像に含まれる顔画像に対して肌診断を行ない、
前記制御部は、前記肌診断の結果を前記画像表示部が表示する画像中で前記肌診断の根拠となる場所に重ね合わせて表示させる、
請求項６又は７のいずれかに記載の画像表示装置。
【請求項１９】
前記判定部は、前記入力された撮影画像に含まれる人の身体からツボ位置を特定し、
前記制御部は、特定した前記ツボ位置を前記画像表示部が表示する画像中の該当する場所に重ね合わせて表示させる、
請求項６又は７のいずれかに記載の画像表示装置。
【請求項２０】
頭部又は顔部に装着型の画像表示装置で画像を表示する画像表示方法であって、
画像を入力する画像入力ステップと、
前記画像入力ステップで入力された画像を判定し、又は、前記入力された画像に対する判定結果を取得する判定ステップと、
前記判定ステップによる前記判定結果に基づいて、表示する画像を制御する制御ステップと、
を有する画像表示方法。
【発明の詳細な説明】
【技術分野】
【０００１】
本明細書で開示する技術は、ユーザーの頭部又は顔部に装着して用いられる画像表示装置及び画像表示方法に係り、例えばユーザーの視界内の対象に対して推定又は診断された結果を表示する画像表示装置及び画像表示方法に関する。
【背景技術】
【０００２】
人の顔や耳、手、爪など、目に見えるパーツの形状や大小、色（生体情報）に基づいてその人の性格や運勢を推定若しくは診断する「占い」は、古くから親しまれている。例えば手相学は、手のひらに形成された生命線や、運命線、知能線、感情線、結婚線といった複数の種別の手相線に浮き出てくるとされる性格や運勢を占うことができるとして、人気がある。
【０００３】
手相線自体は、素人でも目視により容易に抽出できる、視覚的な生体情報である。数多ある占いの中でも、手相占いの人気は高い。しかしながら、手相線の種別毎に意味する性格や運勢を持つとともに、２以上の手相線を関連付けて判断しなければならないなど、情報量が多いため、素人にとって手相を診断することが困難な場合もある。
【０００４】
例えば、カメラ付き携帯端末からネットワークを介して送信されてくる手相の画像を受信し、受信した手相の画像から手相線データを抽出し、この抽出された手相線データに基づいて、占い結果を示す占いデータを取得し、カメラ付き携帯電話に送信する手相占いシステムについて提案がなされている（例えば、特許文献１を参照のこと）。この手相占いシステムは、コンピューターが使用できない環境で手相占いを提供するものである。
【０００５】
しかしながら、手相線データに関連付けられた占いデータが単に携帯端末に返されるだけである。このため、ユーザーは、自分が持つ複数の手相線のうちどれが占いデータの根拠になっているのかを、（時分の視界の中にある手のひらの上で）視認することはできない。
【０００６】
また、手相画像中の手相線など、目標特徴線を正確に特定する目標特徴線特定装置について提案がなされている（例えば、特許文献２を参照のこと）。例えば、情報出力装置は、この目標特徴線特定装置が特定した目標特徴線データを、データベースから取得された複数の掌線データと比較して、目標特徴線に最も近い掌線を示す掌線データを特定し、特定された掌線データに対応付けられた手相占いデータを出力することにより、手相占いを行なうことができる。
【０００７】
しかしながら、情報出力装置から出力される手相占いデータは、掌線の種類、形、長さ、及び位置関係等に基づき、事前に手相占い師などにより判断された人の運勢（結婚運、恋愛運、仕事運、金銭運など）や才能資質、健康状態の良否などの内容を規定したテキスト形式のデータである。すなわち、ユーザーは、自分が持つ複数の手相線のうちどれが手相占いデータの根拠になっているのかを、（自分の視界の中にある手のひらの上で）視認することはできない。
【０００８】
付言すれば、左右の手毎に手相の持つ意味が異なるという説がある（例えば、利き手側の手相は後天的若しくはその人の未来を浮き出し、他方の手相は先天的若しくはその人の過去を浮き出すという説がある）。このため、手相占いは、好ましくは両手を見る必要がある。カメラ付き携帯端末で手相の画像を撮影することを前提とするシステムでは、ユーザーはカメラを持ちかえながら左右それぞれの手について画像の撮影及び送信操作を行なわなければならず、２度手間である。
【発明の概要】
【発明が解決しようとする課題】
【０００９】
本明細書で開示する技術の目的は、ユーザーの視界内の対象に対して推定又は診断された結果を好適に表示することができる、優れた画像表示装置及び画像表示方法を提供することにある。
【００１０】
本明細書で開示する技術のさらなる目的は、例えば人の身体上の特定の部位の画像に基づいて推定又は診断された結果を視覚的に表示することができる、画像表示装置及び画像表示方法を提供することにある。
【課題を解決するための手段】
【００１１】
本願は、上記課題を参酌してなされたものであり、請求項１に記載の技術は、
画像を表示する画像表示部と、
画像を入力する画像入力部と、
前記画像入力部に入力された画像を判定し、又は、前記入力された画像に対する判定結果を取得する判定部と、
前記判定部による前記判定結果に基づいて前記画像表示部を制御する制御部と、
を具備する、頭部又は顔部に装着型の画像表示装置である。
【００１２】
本願の請求項２に記載の技術によれば、請求項１に記載の画像表示装置は、カメラをさらに備えている。そして、前記画像入力部は、前記カメラで撮影した画像を入力するように構成されている。
【００１３】
本願の請求項３に記載の技術によれば、請求項２に記載の画像表示装置の前記カメラは、ユーザーの視線方向又はユーザーの身体の少なくとも一部を撮影するように構成されている。
【００１４】
本願の請求項４に記載の技術によれば、請求項１に記載の画像表示装置は、画像を記憶する記憶部をさらに備えている。そして、前記画像入力部は、前記記憶部から読み出した画像を入力するように構成されている。
【００１５】
本願の請求項５に記載の技術によれば、請求項１に記載の画像表示装置は、外部装置と通信する通信部をさらに備えている。そして、前記画像入力部は、前記通信部を介して外部装置から取得した画像を入力するように構成されている。
【００１６】
本願の請求項６に記載の技術によれば、請求項１に記載の画像表示装置の前記画像表示部は、前記画像をシースルーで表示し、前記画像入力部は、ユーザーの視線方向をカメラで撮影した撮影画像を入力し、前記判定部は、前記撮影画像中の特定の部位を判定し、前記制御部は、前記ユーザーの視界上の前記特定の部位に重なり合うように、前記判定結果を前記画像表示部に表示させるように構成されている。
【００１７】
本願の請求項７に記載の技術によれば、請求項１に記載の画像表示装置の前記画像表示部はユーザーの視線方向をカメラで撮影した撮影画像を表示するとともに、前記画像入力部は前記撮影画像を入力し、前記判定部は、前記撮影画像中の特定の部位を判定し、前記制御部は、前記判定結果を前記撮影画像中の前記特定の部位に重ね合わせて表示させるように構成されている。
【００１８】
本願の請求項８に記載の技術によれば、請求項１に記載の画像表示装置は、前記判定部による判定結果、又は、前記判定結果に基づいて制御された画像を記憶する記憶部をさらに備えている。
【００１９】
本願の請求項９に記載の技術によれば、請求項６又は７のいずれかに記載の画像表示装置の前記判定部は、前記入力された画像中の特定の部位の特徴に基づく診断を行ない、前記制御部は、前記診断の結果を前記画像表示部が表示する画像中で前記特定の部位に該当する場所に重ね合わせて表示させるように構成されている。
【００２０】
本願の請求項１０に記載の技術によれば、請求項６又は７のいずれかに記載の画像表示装置の前記判定部は、前記入力された画像に含まれる手のひらの手相線に対して手相診断を行ない、前記制御部は、前記手相診断の結果を前記画像表示部が表示する画像中で前記手相線に該当する場所に重ね合わせて表示させるに構成されている。
【００２１】
本願の請求項１１に記載の技術によれば、請求項１０に記載の画像表示装置の前記入力された画像に含まれる手のひらから手相線を抽出する特徴量抽出部をさらに備え、前記判定部は前記特徴量抽出部が抽出した手相線に基づいて手相診断を行なうように構成されている。
【００２２】
本願の請求項１２に記載の技術によれば、請求項１１に記載の画像表示装置の前記制御部は、前記特徴量抽出部が抽出した手相線を前記画像表示部が表示する画像に重ね合わせて表示させるように構成されている。
【００２３】
本願の請求項１３に記載の技術によれば、請求項１０に記載の画像表示装置の前記画像入力部は、左右の手のひらを含んだ画像を入力し、前記判定部は、前記の入力された画像から左右の手相を診断するように構成されている。
【００２４】
本願の請求項１４に記載の技術によれば、請求項１３に記載の画像表示装置の前記入力された画像に含まれる手のひらから手相線を抽出する特徴量抽出部をさらに備え、前記制御部は、左右のうち一方の手のひらから抽出した手相線を左右反転して、他方の手のひらの手相線と重ね合わせて表示させるように構成されている。
【００２５】
本願の請求項１５に記載の技術によれば、請求項６又は７のいずれかに記載の画像表示装置の前記判定部は前記入力された画像に含まれる手の少なくとも１つの指の付け根の掌丘を診断し、前記制御部は前記診断の結果を前記画像表示部が表示する画像中で前記掌丘に該当する場所に重ね合わせて表示させるように構成されている。
【００２６】
本願の請求項１６に記載の技術によれば、請求項６又は７のいずれかに記載の画像表示装置の前記判定部は、前記入力された画像に含まれる手の少なくとも１つの指の長さを診断し、前記制御部は、前記診断の結果を前記画像表示部が表示する画像中で該当する指に重ね合わせて表示させるように構成されている。
【００２７】
本願の請求項１７に記載の技術によれば、請求項６又は７のいずれかに記載の画像表示装置の前記判定部は、前記入力された画像に含まれる顔画像に対して顔相診断を行ない、前記制御部は、前記顔相診断の結果を前記画像表示部が表示する画像中で前記顔相診断の根拠となる場所に重ね合わせて表示させるように構成されている。
【００２８】
本願の請求項１８に記載の技術によれば、請求項６又は７のいずれかに記載の画像表示装置の前記判定部は、前記入力された画像に含まれる顔画像に対して肌診断を行ない、前記制御部は、前記肌診断の結果を前記画像表示部が表示する画像中で前記肌診断の根拠となる場所に重ね合わせて表示させるように構成されている。
【００２９】
本願の請求項１９に記載の技術によれば、請求項６又は７のいずれかに記載の画像表示装置の前記判定部は、前記入力された撮影画像に含まれる人の身体からツボ位置を特定し、前記制御部は、特定した前記ツボ位置を前記画像表示部が表示する画像中の該当する場所に重ね合わせて表示させるように構成されている。
【００３０】
また、本願の請求項６又は７に記載の技術は、頭部又は顔部に装着型の画像表示装置で画像を表示する画像表示方法であって、
画像を入力する画像入力ステップと、
前記画像入力ステップで入力された画像を判定し、又は、前記入力された画像に対する判定結果を取得する判定ステップと、
前記判定ステップによる前記判定結果に基づいて、表示する画像を制御する制御ステップと、
を有する画像表示方法である。
【発明の効果】
【００３１】
本明細書で開示する技術によれば、ユーザーの視界内の対象に対して推定又は診断された結果を、ユーザーの視界に重ねて表示するので、ユーザーは推定又は診断された結果の根拠を理解し易くなる。
【００３２】
また、本明細書で開示する技術によれば、人の身体上の特定の部位の画像に基づいて推定又は診断された結果を、当該部位を眺める視界に重ねて表示するので、ユーザーは推定又は診断された結果の根拠を理解し易くなる。
【００３３】
本明細書で開示する技術のさらに他の目的、特徴や利点は、後述する実施形態や添付する図面に基づくより詳細な説明によって明らかになるであろう。
【図面の簡単な説明】
【００３４】
【図１】図１は、透過性の頭部装着型画像表示装置１００を装着したユーザーを正面から眺めた様子を示した図である。
【図２】図２は、図１に示した画像表示装置１００を装着したユーザーを上方から眺めた様子を示した図である。
【図３】図３は、遮光性の頭部装着型画像表示装置３００を装着したユーザーを正面から眺めた様子を示した図である。
【図４】図４は、図３に示した画像表示装置３００を装着したユーザーを上方から眺めた様子を示した図である。
【図５】図５は、画像表示装置１００の内部構成例を示した図である。
【図６】図６は、画像表示装置１００が、ユーザーの視界内にある対象に対して推定又は診断された結果を表示するための機能的構成を模式的に示した図である。
【図７】図７は、画像表示装置１００が、ユーザーの視界内にある対象に対して推定又は診断された結果を表示するための処理手順を示したフローチャートである。
【図８】図８は、画像入力部６０１が入力した手のひらの画像を例示した図である。
【図９】図９は、手相線を手のひらに重ね合わせて表示した様子を示した図である。
【図１０】図１０は、手相の診断結果を手相線と対応付けて手のひらに重ねて表示した様子を示した図である。
【図１１】図１１は、画像入力部６０１がユーザーの左右の手のひらを同時に入力した画像を例示した図である。
【図１２】図１２は、左右の手のひらに各々の手相線を重ね合わせて表示した様子を示した図である。
【図１３】図１３は、左右の手相の診断結果を左右それぞれの手のひらの手相線と対応付けて表示した様子を示した図である。
【図１４】図１４は、左手の手相に左右反転させた右手の手相を重ね合わせて表示した様子を示した図である。
【図１５】図１５は、各指の付け根の掌丘を表す等高線を手のひらに重ね合わせて表示した様子を示した図である。
【図１６】図１６は、掌丘に基づく診断結果を、掌丘を表す等高線と対応付けて、手のひらに重ね合わせて表示した様子を示した図である。
【図１７】図１７は、各指の基準となる長さを表す仮想指を手のひらに重ね合わせて表示した様子を示した図である。
【図１８】図１８は、指の長さに基づく診断結果を手のひらに重ね合わせて表示した様子を示した図である。
【図１９】図１９は、画像入力部６０１が内側カメラや外側カメラ５１２を使って入力した、鼻を含む顔画像を例示した図である。
【図２０】図２０は、基準となる大きさ、高さ、形状などからなる仮想鼻の画像を、入力された顔画像に重ね合わせて表示した様子を示した図である。
【図２１】図２１は、鼻全体の大きさや鼻の高さ、鼻の色、鼻先の形状、鼻の穴と縦の溝などによって顔相を診断した結果を顔画像に重ね合わせて表示した様子を示した図である。
【図２２】図２２は、美肌診断した結果を顔画像に重ね合わせて表示した様子を示した図である。
【図２３】図２３は、画像表示装置１００を装着したユーザーの視界にある、ユーザー自身の足裏の画像２３００を例示した図である。
【図２４】図２４は、足ツボ早見表上の足ツボ位置をユーザーの視界上の足裏に射影変換する様子を示した図である。
【図２５】図２５は、足ツボ位置２５０１を元の足裏の画像２５００と重ね合わせて表示した様子を示した図である。
【発明を実施するための形態】
【００３５】
以下、図面を参照しながら本明細書で開示する技術の実施形態について詳細に説明する。
【００３６】
Ａ．装置構成
図１には、本明細書で開示する技術の一実施形態に係る画像表示装置１００の外観構成を示している。画像表示装置１００は、ユーザーが頭部又は顔部に装着して用いられ、左右の眼毎に画像を表示する。図示の画像表示装置１００は、透過性すなわちシースルーのタイプであり、画像を表示している間も、ユーザーは、画像越しに現実世界の風景を眺める（すなわち、シースルーする）ことができる。したがって、現実世界の風景に仮想的な表示画像を重ね合わせて見せることができる（例えば、特許文献３を参照のこと）。表示画像は、外側（すなわち他人）からは見えないので、情報表示に際してプライバシーが守られ易い。
【００３７】
画像表示装置１００は、ユーザーの視界内の対象に対して推定又は診断された結果を表示するのに利用することができるが、この点の詳細については後述に譲る。
【００３８】
図示の画像表示装置１００は、視力矯正用の眼鏡に類似した構造からなる。画像表示装置１００本体のユーザーの左右の眼に対向する位置には、透明な導光部などからなる虚像光学部１０１Ｌ、１０１Ｒが配設され、各虚像光学部１０１Ｌ、１０１Ｒの内側には、ユーザーが観察する画像が表示される。各虚像光学部１０１Ｌ、１０１Ｒは、例えば、眼鏡フレーム状の支持体１０２によって支持されている。
【００３９】
眼鏡フレーム状の支持体１０２のほぼ中央には、周囲画像（ユーザーの視界）入力用の外側カメラ５１２が設置されている。視差情報を利用して、周囲画像の３次元情報を取得できるように、外側カメラ５１２を複数台のカメラで構成することがより好ましい。また、支持体１０２の左右の両端付近にそれぞれマイクロフォン１０３Ｌ、１０３Ｒが設置されている。左右ほぼ対称的にマイクロフォン１０３Ｌ、１０３Ｒを持つことで、中央に定位した音声（ユーザーの声）だけを認識することで、周囲の雑音や他人の話声と分離することができ、例えば音声入力による操作時の誤動作を防止することができる。
【００４０】
図２には、ユーザーが装着した状態の画像表示装置１００を上方から眺めた様子を示している。図示のように、画像表示装置１００の左右両端には、左眼用及び右眼用の画像をそれぞれ表示出力する表示パネル１０４Ｌ、１０４Ｒが配設されている。各表示パネル１０４Ｌ、１０４Ｒは、液晶ディスプレイ又は有機ＥＬ素子などのマイクロ・ディスプレイからなる。表示パネル１０４Ｌ、１０４Ｒから出力される左右の表示画像は、虚像光学部１０１Ｌ、１０１Ｒによって左右それぞれの眼付近まで導光され、その拡大虚像がユーザーの瞳に結像される。
【００４１】
また、図３には、本明細書で開示する技術の他の実施形態に係る画像表示装置３００の外観構成を示している。画像表示装置３００は、ユーザーが頭部又は顔部に装着して用いられるが、遮光性であり、頭部に装着した際にユーザーの眼を直接覆い、画像視聴中のユーザーに没入感を与えることができる。また、シースルーのタイプとは相違し、画像表示装置３００を装着したユーザーは現実世界の風景を直接眺めることはできないが、ユーザーの視線方向の風景を撮影する外側カメラ５１２を装備し、その撮像画像を表示することにより、ユーザーは間接的に現実世界の風景を眺める（すなわち、ビデオ・シースルーする）ことができる。勿論、ビデオ・シースルー画像に対し、仮想的な表示画像を重ね合わせて見せることができる。表示画像は、外側（すなわち他人）からは見えないので、情報表示に際してプライバシーが守られ易い。
【００４２】
画像表示装置３００も、ユーザーの視界内の対象に対して推定又は診断された結果を表示するのに利用することができるが、この点の詳細については後述に譲る。
【００４３】
図示の画像表示装置３００は、帽子形状に類似した構造体であり、装着したユーザーの左右の眼を直接覆うように構成されている。画像表示装置３００本体の内側の左右の眼に対向する位置には、ユーザーが観察する表示パネル（図３では図示しない）が配設されている。表示パネルは、例えば有機ＥＬ素子や液晶ディスプレイなどのマイクロ・ディスプレイで構成される。
【００４４】
帽子に類似した形状をした画像表示装置３００本体前面のほぼ中央には、周囲画像（ユーザーの視界）入力用の外側カメラ５１２が設置されている。また、画像表示装置３００本体の左右の両端付近にそれぞれマイクロフォン３０３Ｌ、３０３Ｒが設置されている。左右ほぼ対称的にマイクロフォン３０３Ｌ、３０３Ｒを持つことで、中央に定位した音声（ユーザーの声）だけを認識することで、周囲の雑音や他人の話声と分離することができ、例えば音声入力による操作時の誤動作を防止することができる。
【００４５】
図４には、図３に示した画像表示装置３００を装着したユーザーを上方から眺めた様子を示している。図示の画像表示装置３００は、ユーザーの顔面と対向する側面に、左眼用及び右眼用の表示パネル３０４Ｌ、３０４Ｒを持つ。表示パネル３０４Ｌ、３０４Ｒは、例えば有機ＥＬ素子や液晶ディスプレイなどのマイクロ・ディスプレイで構成される。表示パネル３０４Ｌ、３０４Ｒの表示画像は、虚像光学部３０１Ｌ、３０１Ｒを通過するにより拡大虚像としてユーザーに観察される。また、眼の高さや眼幅にはユーザー毎に個人差があるため、左右の各表示系と装着したユーザーの眼とを位置合わせする必要がある。図４に示す例では、右眼用の表示パネルと左眼用の表示パネルの間に眼幅調整機構３０５を装備している。
【００４６】
図５には、画像表示装置１００の内部構成例を示している。他方の画像表示装置３００の内部構成も同様であると理解されたい。以下、各部について説明する。
【００４７】
制御部５０１は、ＲＯＭ（Ｒｅａｄ  Ｏｎｌｙ  Ｍｅｍｏｒｙ）５０１ＡやＲＡＭ（Ｒａｎｄｏｍ  Ａｃｃｅｓｓ  Ｍｅｍｏｒｙ）５０１Ｂを備えている。ＲＯＭ５０１Ａ内には、制御部５０１で実行するプログラム・コードや各種データを格納している。制御部５０１は、ＲＡＭ５０１Ｂへロードしたプログラムを実行することで、画像の表示制御を始め、画像表示装置１００全体の動作を統括的にコントロールする。ＲＯＭ５０１Ａに格納するプログラムやデータとして、画像の表示制御プログラムや、外側カメラ５１２で撮影した画像（例えば、ユーザーの視線方向を撮影した画像）の画像処理プログラム、インターネット上のサーバー（図示しない）など外部機器との通信処理プログラム、当該装置１１０に固有の識別情報などを挙げることができる。外側カメラ５１２で撮影した画像の画像処理プログラムは、例えば撮影画像の解析及び解析結果の表示制御を行なう。撮影画像の解析には、手のひら撮影時における手相診断、顔撮影時における顔相診断などの身体的特徴に基づく診断又は占いや、顔画像に基づく美肌診断、室内撮影時における風水その他のレイアウト診断など、ユーザーの視界内の対象に対する推定又は診断処理を含む。また、画像処理プログラムは、解析結果をユーザーの視界に重畳して表示制御する（シースルー及びビデオ・シースルーを含む）。画像処理の詳細については後述に譲る。
【００４８】
入力操作部５０２は、キーやボタン、スイッチなど、ユーザーが入力操作を行う１以上の操作子を備え、操作子を介したユーザーの指示を受け付けて、制御部５０１に出力する。また、入力操作部５０２は、リモコン受信部５０３で受信したリモコン・コマンドからなるユーザーの指示を同様に受け付けて、制御部５０１に出力する。
【００４９】
姿勢・位置検出部５０４は、当該画像処理装置１００を装着したユーザーの頭部の姿勢を検出するユニットである。姿勢・位置検出部５０４は、ジャイロ・センサー、加速度センサー、ＧＰＳ（Ｇｌｏｂａｌ  Ｐｏｓｉｔｉｏｎｉｎｇ  Ｓｙｓｔｅｍ）センサー、地磁気センサーのいずれか１つ、又は、各センサーの長所及び短所を考慮して２以上のセンサーの組み合わせにより構成される。
【００５０】
状態検出部５１１は、当該画像表示装置１００を装着したユーザーの状態に関する状態情報を取得して、制御部５０１に出力する。状態情報として、例えば、ユーザーの作業状態（画像表示装置１００の装着の有無）や、ユーザーの行動状態（静止、歩行、走行などの移動状態、瞼の開閉状態、視線方向）、精神状態（表示画像を観察中に没頭若しくは集中しているかなどの興奮度、覚醒度、感情や情動など）、さらには生理状態を取得する。また、状態検出部５１１は、これらの状態情報をユーザーから取得するために、機械スイッチなどからなる装着センサーや、ユーザーの顔を撮影する内側カメラ、ジャイロ・センサー、加速度センサー、速度センサー、圧力センサー、体温センサー、発汗センサー、筋電位センサー、眼電位センサー、脳波センサーなどの各種の状態センサー（いずれも図示しない）を備えていてもよい。
【００５１】
外側カメラ５１２は、例えば眼鏡形状をした画像表示装置１００本体前面のほぼ中央に配置され（図１を参照のこと）、周囲画像を撮影することができる。また、状態検出部５１１で検出したユーザーの視線方向に合わせて外側カメラ５１２のパン、チルト、ロール方向の姿勢制御を行なうことで、外側カメラ５１２でユーザーの自分目線の画像すなわちユーザーの視線方向の画像を撮影することができる。外側カメラ５１２の撮影画像を、表示部５０９に表示出力することができ、また、記憶部５０６に格納することもできる。
【００５２】
通信部５０５は、インターネット上のサーバー（図示しない）など外部機器との通信処理、並びに通信信号の変復調並びに符号化復号処理を行なう。また、制御部５０１は、外部機器への送信データを通信部５０５から送出する。通信部５０５の構成は任意である。例えば、通信相手となる外部機器との送受信動作に使用する通信規格に応じて、通信部５０５を構成することができる。通信規格は、有線、無線のいずれの形態であってもよい。ここで言う通信規格として、ＭＨＬ（Ｍｏｂｉｌｅ  Ｈｉｇｈ−ｄｅｆｉｎｉｔｉｏｎ  Ｌｉｎｋ）やＵＳＢ（Ｕｎｉｖｅｒｓａｌ  Ｓｅｒｉａｌ  Ｂｕｓ）、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）、Ｗｉ−Ｆｉ（登録商標）、Ｂｌｕｅｔｏｏｔｈ（登録商標）通信、赤外線通信などを挙げることができる。
【００５３】
記憶部５０６は、ＳＳＤ（Ｓｏｌｉｄ  Ｓｔａｔｅ  Ｄｒｉｖｅ）などからなる大容量記憶装置である。記憶部５０６は、制御部５０１で実行するアプリケーション・プログラムや、外側カメラ５１２（後述）で撮影した画像や通信部５０５を介してネットワークから取得した画像などのデータを記憶している。また、記憶部５０６は、外側カメラ５１２で撮影した画像に対して推定又は診断処理を行なうための、手相や顔相などの身体的特徴に基づく診断又は占い、肌診断、足ツボ位置などに関する診断データベース（後述）を蓄積しておいてもよい。さらに、画像に対して推定又は診断処理を行なって得られた診断結果（診断結果を重ね合わせた画像を含む）を、再利用やその他の目的にために、記憶部５０６に蓄積しておいてもよい。
【００５４】
画像処理部５０７は、制御部５０１から出力される画像信号に対して画質補正などの信号処理をさらに行なうとともに、表示部５０９の画面に合わせた解像度に変換する。そして、表示駆動部５０８は、表示部５０９の画素を行毎に順次選択するとともに線順次走査して、信号処理された画像信号に基づく画素信号を供給する。
【００５５】
表示部５０９は、例えば有機ＥＬ（Ｅｌｅｃｔｒｏ−Ｌｕｍｉｎｅｓｃｅｎｃｅ）素子や液晶ディスプレイなどのマイクロ・ディスプレイで構成される表示パネルを有する。虚像光学部５１０は、表示部５０９の表示画像を拡大投影して、ユーザーには拡大虚像として観察させる。
【００５６】
音声処理部５１３は、制御部５０１から出力される音声信号に対して音質補正や音声増幅、入力された音声信号などの信号処理をさらに行なう。そして、音声入出力部５１４は、音声処理後の音声を外部出力、並びにマイクロフォン（前述）からの音声入力を行なう。
【００５７】
Ｂ．画像表示装置を用いた情報提示
ユーザーが頭部や顔部に装着して用いる画像表示装置１００は、ユーザーが実際に眺めている現実世界の風景に対して、仮想的な表示画像を重ね合わせるという形態で、ユーザーに情報を提示することができる。例えば、ユーザーの視界に実在するオブジェクトに関連する情報を表す仮想的な画像を、そのオブジェクトに重ね合わせて表示することで、ユーザーは何の情報であるのかを正確に理解することができる。
【００５８】
また、（シースルーでない）没入型の画像表示装置３００の場合であっても、外側カメラ５１２を使ってユーザーの視界にある現実世界の風景を撮影し、そのビデオ・シースルー画像に対して仮想的な画像を重ね合わせて表示することで、上記と同様の情報提示を実現することができる。
【００５９】
他方、手相や顔相などの身体的特徴に基づく診断又は占いを始めとして、ユーザーの身体上の特定の部位から抽出される視覚的な生体情報に基づく推定又は診断処理を、画像解析によって行なう方法は既に知られている。
【００６０】
そこで、本実施形態に係る画像表示装置１００（並びに３００）は、ユーザーの視線方向の画像を外側カメラ５１２で撮影すると、その撮影画像に含まれる対象（例えば、ユーザーの手のひらや顔など、人の身体上の特定の部位）を画像解析することによって行なわれた推定又は診断の結果を、ユーザーが眺める現実世界の風景に重ね合わせてシースルー表示（ビデオ・シースルー表示を含む）することで、ユーザーに対し、自分の視界内にある対象の推定又は診断結果を分かり易く提示するようにしている。
【００６１】
図６には、画像表示装置１００が、ユーザーの視界内にある対象に対して推定又は診断された結果を、ユーザーの視界に重畳して表示するための機能的構成を模式的に示している。図示の機能的構成は、例えば制御部５０１が所定のプログラムを実行することで実現される。
【００６２】
画像入力部６０１は、例えば外側カメラ５１２の撮影画像や、記憶部５０６に格納されている過去の撮影画像、さらには通信部５０５を介して外部から取り込まれる画像（例えば他のユーザーの視線方向の画像や、ネットワーク上で公開されている画像）を入力する。
【００６３】
上述したように、外側カメラ５１２は、状態検出部５１１で検出したユーザーの視線方向に合わせて姿勢制御することで、ユーザーの視線方向の画像を撮影する。この場合、画像入力部６０１には、ユーザーの視線方向のライブ画像が入力される。勿論、記憶部５０６に格納された、ユーザーの視線方向の過去の撮影画像を、画像入力部６０１に入力することもできる。
【００６４】
特徴量抽出部６０２は、画像入力部６０１に入力された画像から、後段の診断処理に使用する特徴量を抽出する。そして、診断部６０３は、特徴量抽出部６０２で抽出された特徴量を、診断データベース６０４内の診断用特徴量と照合して、診断処理を行なって、その診断結果を生成する。診断部６０３は、診断結果を後段の合成部６０４に出力する。また、診断部６０３は、再利用などの目的で、診断結果を記憶部５０６に保存するようにしてもよい。
【００６５】
なお、診断部６０３と診断データベース６０４の機能（図６中、点線で囲った部分）は、画像表示装置１００内に搭載されている必要は必ずしもない。例えば、通信部５０５を介して接続されるネットワーク上のサーバーなどの外部の計算リソースを使って診断部６０３及び診断データベース６０４を構築することもできる。この場合、特徴量抽出部６０２で入力画像から抽出された特徴量を通信部５０５でサーバーに送信し、診断結果を通信部５０５で受け取ることになる。また、特徴量抽出部６０２も、画像表示装置１００内に装備するのではなく外部に設置してもよく、この場合は入力画像そのものを通信部５０５から送信することになる。
【００６６】
合成部６０５は、診断部６０３が生成した診断結果を、画像入力部６０１の入力画像に重ね合わせた仮想画像を合成する。そして、仮想画像を表示部５０９に表示出力して、診断の結果を、入力画像（ユーザーが眺める現実世界の風景）に重ね合わせてシースルー表示（ビデオ・シースルー表示を含む）する。また、診断部６０３が入力画像に対する診断結果を、音声情報としても出力する場合には、これを音声入出力部５１４から外部出力する。また、合成部６０５が合成した画像を、再利用などの目的で、記憶部５０６に保存するようにしてもよい。
【００６７】
また、図７には、画像表示装置１００が、ユーザーの視界内の対象に対して推定又は診断された結果を、ユーザーの視界に重畳して表示するための処理手順をフローチャートの形式で示している。図示の処理手順は、例えば制御部５０１が所定のプログラムを実行することで実現される。
【００６８】
この処理は、例えば画像表示装置１００の電源投入とともに起動し、又は、ユーザーが入力操作部５０２などを介して起動を指示したことに応答して起動する。
【００６９】
そして、この処理が起動中は、画像入力部６０１は、外側カメラ５１２ーが撮影しているライブ画像を入力する（ステップＳ７０１）。外側カメラ５１２は、例えばユーザーの視線方向の画像を撮影している。但し、画像入力部６０１は、記憶部５０６に格納されている過去の撮影画像や、通信部５０５を介して外部から取り込まれる画像を入力するようにしてもよい。処理中の入力画像は、表示部５０９で表示出力される（ステップＳ７０２）。
【００７０】
そして、特徴量抽出部６０２は、画像入力部６０１に入力された画像から、後段の診断処理に使用する特徴量を抽出する（ステップＳ７０３）。
【００７１】
次いで、診断部６０３は、特徴量抽出部６０２で抽出された特徴量を、診断データベース６０４内の診断用特徴量と照合して、診断処理を行ない、その診断結果を生成する（ステップＳ７０４）。得られた診断結果を、再利用などの目的で、記憶部５０６に保存するようにしてもよい。
【００７２】
次いで、合成部６０５は、診断部６０３が生成した診断結果を、画像入力部６０１の入力画像に重ね合わせた仮想画像を合成する。そして、仮想画像を表示部５０９に表示出力して、診断の結果を、入力画像（ユーザーが眺める現実世界の風景）に重ね合わせてシースルー表示（ビデオ・シースルー表示を含む）する（ステップＳ７０５）。また、診断部６０３が入力画像に対する診断結果を、音声情報としても出力する場合には、これを音声入出力部５１４から外部出力する。診断結果を合成した画像並びに音声情報を、再利用などの目的で、記憶部５０６に保存するようにしてもよい。
【００７３】
その後、ユーザーが入力操作部５０２などを介して処理の終了を指示したことに応答して終了処理を実施し（ステップＳ７０６）、本処理ルーチンを終了する。
【００７４】
終了処理には、ステップＳ７０４で得られた診断結果や、ステップＳ７０５において合成部６０５が合成した仮想画像などの情報の記憶部５０６への保存やサーバーへのアップロード、診断データベース６０４の更新処理などを含んでいてもよい。
【００７５】
診断部６０３で行なわれる診断処理は、画像表示装置１００を装着したユーザーが自分又は他人の手のひらを眺めたときの手相診断、他人の顔（又は鏡に映った自分の顔）を眺めたときの顔相診断、家屋や建物を観察したときの家相診断などの身体的特徴に基づく診断又は占い、他人の顔（又は鏡に映った自分の顔）を眺めたときの美肌診断、室内を眺めたときの風水占いその他のレイアウト診断など、ユーザーの視界内の対象に対する推定又は診断処理が挙げられる。本実施形態では、診断部６０３は、外側カメラ５１２がユーザーの視線方向を撮影した画像など、画像入力部６０１への入力画像に対して上記の診断を行なう。そして、合成部６０５は、その診断結果を入力画像に重なり合うように合成して、表示部５０９で表示出力するようになっている。したがって、ユーザーは、単に診断結果を鵜呑みにするのではなく、診断結果が入力画像のうち具体的にどの部分に基づくのかなど、診断の内容をより具体的且つ正確に理解することができる。
【００７６】
Ｂ−１．手相診断
まず、身体的特徴に基づく診断又は占いの一例として、手相診断を行なう場合について説明する。
【００７７】
図８には、画像表示装置１００を装着したユーザーの視界にある、ユーザー自身の左手の手のひらの画像８００を例示している。画像入力部６０１は、ユーザーの視界にある手のひらの画像８００を、外側カメラ５１２を使って入力することができる。また、手のひらの画像８００は、外側カメラ５１２で撮影されるリアルタイム画像である必要はなく、記憶部５０６に一旦保存された過去の撮影画像でもよく、あるいは、通信部５０５を介してダウンロードした自分又は他人の手のひらの画像であってもよい。
【００７８】
特徴量抽出部６０２は、入力された手のひらの画像から、手のひらの特徴量として手相線を抽出して、各手相線の情報を診断部６０３に出力する。また、合成部６０４は、処理中すなわち手相診断中の表示画像として、手のひらから抽出した各手相線９０１を、元の手のひらの画像９００に重ね合わせて、表示部５０９に表示出力する（図９を参照のこと）。
【００７９】
さらに、診断部６０３は、特徴量抽出部６０２で抽出された各手相線を、診断データベース６０４内の手相データベースと照合して、手相診断を行なって、その診断結果を生成する。そして、合成部６０５は、診断部６０３が生成した診断結果を、画像入力部６０１の入力画像に重ね合わせた仮想画像を合成して、図１０に示すように、元の手のひらの画像１０００に重ね合わせて、表示部５０９に表示出力する。図示の例では、各手相線１００１が示す意味を、該当する手相線から出現する吹き出し１００２、１００３という形態で表示している。したがって、結婚運、恋愛運、仕事運、金銭運など手相占いデータをテキスト形式で表示する場合（例えば、特許文献１、２を参照のこと）と比較して、ユーザーは、診断結果がどの手相線に基づくものかを目視で確認することができるので、ユーザーは診断結果を理解し易くなるとともに、診断結果の説得力が増す。
【００８０】
また、左右の手毎に手相の持つ意味が異なるという説がある（例えば、利き手側の手相は後天的若しくはその人の未来を浮き出し、他方の手相は先天的若しくはその人の過去を浮き出すという説がある）。このため、手相占いは好ましくは両手を見る必要がある。ところが、ユーザーが自分の手のひらをカメラ付携帯端末やディジタルカメラで撮影することを前提とするシステムの場合（例えば、特許文献１、２を参照のこと）、ユーザーはカメラを持ちかえながら左右それぞれの手について撮影を行なわなければならず、２度手間である。
【００８１】
これに対し、本実施形態では、ユーザーの頭部又は顔部に画像表示装置１００の外側カメラ５１２を用いて画像入力を行なうことになる。すなわち、ユーザーの両手が自由な状態で画像入力を行なうことから、図１１に示すように、ユーザーの左右の手のひらの画像１１００を同時に入力することができるので、手間が省ける。
【００８２】
また、特徴量抽出部６０２は、左右の手のひらの各々から手相線１２０１Ｌ、１２０１Ｒを同時に抽出し、これらをそれぞれ左右の手のひらの画像１２００Ｌ、１２００Ｒに重ね合わせて、表示部５０９に表示出力する（図１２を参照のこと）。
【００８３】
さらに、診断部６０３は、特徴量抽出部６０２で抽出された左右の各手相線１３０１Ｌ、１３０１Ｒを、診断データベース６０４内の手相データベースとそれぞれ照合して手相診断を行ない、各手相線１３０１Ｌ、１３０１Ｒが示す意味を、該当する手相線から出現する吹き出し１３０２〜１３０５という形態で表示する（図１３を参照のこと）。
【００８４】
合成部６０５は、図１４に示すように、特徴量抽出部６０２がユーザーの左右の手のひらの画像１４００Ｌ、１４００Ｒから抽出した左右それぞれの手相線１４０１Ｌ、１４０１Ｒのうち、右手の手相線１４０１Ｒを左右反転させた画像１４０１Ｒ´（同図中、点線で表示）を生成し、これを左手の画像１４００Ｌ上の手相線１４０１Ｌと重ね合わせて表示するようにしてもよい。ユーザーは、図１４に示すような画像を通じて、自分の左右の手相が相違することを一目で理解することができ、さらに、左右で類似している手相線や、左右で著しく異なっている手相線を確認することもできる。また、診断された結婚運や、恋愛運、仕事運、金銭運などが、先天的又は後天的いずれに依拠しているかも推測することができる。
【００８５】
また、手相学として、手相線以外に、五指それぞれの付け根の盛り上がり部分、すなわち「掌丘」に基づいて才能資質や性格を診断する方法が知られている。そこで、特徴量抽出部６０２は、画像入力部６０１から入力された手のひらの画像から、特徴量として手のひらの凹凸に関する情報を抽出するようにしてもよい。例えば、外側カメラ５１２が複数のカメラで構成される場合、各カメラの撮影画像から得られる視差情報に基づいて、手のひらの３次元情報を得ることができる。そして、合成部６０４は、手相診断中の表示画像として、図１５に示すように、手のひらの応答を示す等高線１５０１（同図中、点線で表示）を、入力された手のひら画像１５００に重ね合わせて表示するようにしてもよい。
【００８６】
さらに、診断部６０３は、特徴量抽出部６０２で抽出された各指の付け根の掌丘を、診断データベース６０４内の掌丘データベースと照合して、手相診断を行なって、その診断結果を生成する。そして、合成部６０５は、診断部６０３が生成した診断結果を、画像入力部６０１の入力画像に重ね合わせた仮想画像を合成して、図１６に示すように、元の手のひらの画像１６００に重ね合わせて、表示部５０９に表示出力する。図示の例では、各指の付け根の掌丘１６０１が示す意味を、該当する掌丘から出現する吹き出し１６０２、１６０３という形態で表示している。ユーザーは、才能資質や性格の診断結果がどの掌丘に基づくものかを目視で確認することができるので、ユーザーは診断結果を理解し易くなるとともに、診断結果の説得力が増す。
【００８７】
また、手相学とはいえないが、手のひらの視覚的情報として、指の長さに基づいて人の才能資質や性格を診断する方法も知られている。このような場合、特徴量抽出部６０２は、画像入力部６０１から入力された手のひらの画像から、特徴量として五指すべて又は着目する一部の指について、指の長さの情報を算出する。合成部６０４は、診断中の表示画像として、図１７に示すように、基準となる長さを持つ仮想指の画像１７０１（同図中、点線で表示）を、入力された手のひら画像１７００に重ね合わせて表示するようにしてもよい。診断の際に特に着目すべき指の仮想指の表示を太い点線で表示するようにしてもよい（同図中では、特に着目している人差し指と薬指の仮想指の２本を太い点線で表示している）。
【００８８】
さらに、診断部６０３は、特徴量抽出部６０２で抽出された各指の長さを、診断データベース６０４内の指の長さデータベースと照合して、その人物の才能資質や性格の診断を行なって、その診断結果を生成する。そして、合成部６０５は、診断部６０３が生成した診断結果を、画像入力部６０１の入力画像に重ね合わせた仮想画像を合成して、図１８に示すように、元の手のひらの画像１８００に重ね合わせて、表示部５０９に表示出力する。図示の例では、薬指の長さによって診断された結果を、薬指の先端から出現する吹き出し１８０２という形態で表示している。また、基準となる長さを持つ仮想指の画像１８０１を実際の手のひら画像１８００に重ね合わせて表示し、診断の際に特に着目すべき指の仮想指の表示を太い点線で表示している（同上）。ユーザーは、才能資質や性格の診断結果がどの指の長さに基づくものかを目視で確認することができるので、ユーザーは診断結果を理解し易くなるとともに、診断結果の説得力が増す。
【００８９】
Ｂ−２．顔相診断
続いて、身体的特徴に基づく診断又は占いの他の例として、顔相診断を行なう場合について説明する。
【００９０】
画像入力部６０１は、状態検出部５１１が持つ内側カメラ（前述）で撮影したユーザーの顔画像や、外側カメラ５１２が撮影したユーザーの眼の前にいる人物の顔画像を入力する。あるいは、内側カメラや外側カメラ５１２で過去に撮影した顔画像を記憶部５０６から取り出したり、通信部５０５を介して外部のサーバーからダウンロードした顔画像を入力したりするようにしてもよい。
【００９１】
特徴量抽出部６０２は、入力された顔画像から、診断の対象となる部位の輪郭形状や大きさ、色合いなどの顔特徴量を抽出して、診断部６０３に出力する。そして、診断部６０３は、特徴量抽出部６０２で抽出された顔特徴量を、診断データベース６０４内の顔相データベースと照会して、顔相診断を行なう。
【００９２】
顔相の診断には、一般的に、顔全体の形や、目、鼻、耳、口、眉毛、顎などの顔パーツの形や大きさを参照する。
【００９３】
例えば鼻を用いた顔相診断では、鼻全体の大きさや鼻の高さ、鼻の色、鼻先の形状、鼻の穴と縦の溝などを用いる。図１９には、画像入力部６０１が内側カメラや外側カメラ５１２を使って入力した、鼻を含む顔画像を例示している。
【００９４】
顔特徴量抽出部６０２は、画像入力部６０１で入力された顔画像から、鼻全体の大きさや鼻の高さ、鼻の色、鼻先の形状、鼻の穴と縦の溝などの顔特徴量を抽出する。合成部６０４は、診断中の表示画像として、図２０に示すように、基準となる大きさ、高さ、形状などからなる仮想鼻の画像２００１（同図中、点線で表示）を、入力された顔画像２０００に重ね合わせて表示する。
【００９５】
さらに、診断部６０３は、鼻全体の大きさや鼻の高さ、鼻の色、鼻先の形状、鼻の穴と縦の溝などの各々の顔特徴量を、診断データベース６０４内の顔相データベースと照合して、金運や家庭運などの運勢や、行動力などの性格を診断する。そして、合成部６０５は、診断部６０３が生成した診断結果を、画像入力部６０１の入力画像に重ね合わせた仮想画像を合成して、図２１に示すように、顔画像２１００に重ね合わせて、表示部５０９に表示出力する。図示の例では、鼻全体の大きさや鼻の高さ、鼻の色、鼻先の形状、鼻の穴と縦の溝などによって顔相を診断した結果を、鼻から出現する吹き出し２１０２という形態で表示している。ユーザーは、顔画像の持ち主の運勢や性格の診断結果がどの顔パーツに基づくものかを目視で確認することができるので、ユーザーは診断結果を理解し易くなるとともに、診断結果の説得力が増す。
【００９６】
Ｂ−３．美肌診断
また、顔画像から、顔相以外にも、肌診断を行なうことができる。例えば、顔の部分画像の測定を通してキメ解析、シミ画像、肌色解析、皮脂解析などを行なったり、顔の全体画像の測定を通してシワ・毛穴解析、シミ解析、ポルフィリン解析などを行なったりすることや（例えば、特許文献４を参照のこと）、近赤外カメラを用いて保湿など皮膚の解析を高精度に行なうことが知られている（例えば、特許文献５を参照のこと）。
【００９７】
そこで、特徴量抽出部６０２は、内側カメラで撮影したユーザー本人の顔、又は、外側カメラ５１２で撮影した他人の顔などに対して、部分画像の測定を通してキメ解析、シミ画像、肌色解析、皮脂解析などを行ない、あるいは、全体画像の測定を通してシワ・毛穴解析、シミ解析、ポルフィリン解析などを行ない、解析結果を診断部６０３に出力する。あるいは、特徴量抽出部６０２は、内側カメラ又は外側カメラ５１２が撮影した顔画像の近赤外領域を用いて皮膚の解析を行ない、解析結果を診断部６０３に出力する。診断部６０３は、特徴量抽出部６０２で抽出された顔特徴量を、診断データベース６０４内の美肌データベースと照会して、美肌診断を行ない、顔のうちとりわけ美肌の部分や、逆に肌がひどいダメージを受けている部分を特定することができる。そして、合成部６０５は、診断部６０３が生成した診断結果を、画像入力部６０１の入力画像に重ね合わせた仮想画像を合成して、図２２に示すように、顔画像２２００に重ね合わせて、表示部５０９に表示出力する。図示の例では、顔画像２２００のうち、ケアが十分なされていて美肌の部分から出現する吹き出し「ｇｏｏｄ」２２０１や、逆にひどくダメージを受けている部分から出現する吹き出し「ｂａｄ」２２０２という形態で、肌診断結果を表示している。顔画像２２００全体の解析結果として算出される肌年齢２２０３を表示するようにしてもよい。ユーザーは、顔画像のどの部分をもっとケアすべきかを目視により容易に確認することができる。また、診断結果の説得力が増し、ユーザーに肌ケアをしようという意欲を喚起することができる。
【００９８】
Ｂ−４．ツボ表示
顔の上には、目や眉、鼻、口など複数の顔パーツが存在することから、顔パーツを目標にして、顔内の場所を特定することは比較的容易である。これに対し、足裏表面などは、ほぼ均一な肌が広がっているだけ目標物が存在しないことから、足裏の場所を特定することは難しい。
【００９９】
例えば、足裏には、消化器系や気管支系、脳、関節など、全身のつぼが集まっており、機能が低下した部位に該当するツボをマッサージ又は指圧することで、回復を促すことができる。
【０１００】
ところが、足裏にはあまりにも数多くのツボが存在することから、ツボ位置や、各ツボ位置と効果のある部位との対応関係を覚えることは、専門家ならともかく、一般ユーザーには困難である。また、足ツボ早見表は存在するものの、足裏の形状や縦横比は個人差があるため、足ツボ早見表上のツボ位置を実際の足裏で正確に指し示すのは難しい。勿論、足裏だけでなく、背中など各場所のツボ位置を覚えることは同様に困難である。
【０１０１】
そこで、本実施形態では、足裏を眺めるユーザーの視線方向の画像を、外側カメラ５１２を通じて画像入力部６０１から取り込むと、診断部６０３は、機能を改善したい部位に対応するツボ位置を診断により得ると、その診断結果を入力画像に重なり合うように表示部５０９で表示出力するようになっている。したがって、ユーザーは、ツボ早見表を記憶したり参照したりしなくても、ツボ位置を正確に把握して、的確にマッサージ又は指圧を行なうことができる。
【０１０２】
図２３には、画像表示装置１００を装着したユーザーの視界にある、ユーザー自身の足裏（若しくは、ユーザーが足ツボマッサージしようとしている他人の足裏）の画像２３００を例示している。画像入力部６０１は、ユーザーの視界にある足裏の画像２３００を、外側カメラ５１２を使って入力することができる。
【０１０３】
ここで、ユーザーは例えば音声入力や入力操作部５０２への操作を通じて、どの部位（例えば「胃」）に対応する足ツボを探しているのかを入力する。
【０１０４】
特徴量抽出部６０２は、入力画像２３００から、特徴量として足裏２３０１の輪郭を抽出して、診断部６０３に出力する。ここで抽出された足裏２３０１の輪郭の大きさや形状、縦横比は個人差がある。
【０１０５】
一方、診断データベース６０４には、正規化された形状を持つ足裏上に各つぼの位置を示した足ツボ早見表（図示しない）が格納されている。
【０１０６】
診断部６０３は、診断データベース６０４内の足ツボ早見表２４００を参照して、ユーザーが指定した部位（例えば「胃」）に対応する足ツボ位置２４０１を見つけ出すと、その場所を、特徴量抽出部６０２が抽出した（ユーザーの視界上の）足裏２４０２の輪郭上に射影変換する（図２４を参照のこと）。
【０１０７】
そして、合成部６０４は、診断結果として得られた足ツボ位置２５０１を、元の足裏の画像２５００と重ね合わせて、表示部５０９に表示出力する（図２５を参照のこと）。したがって、ユーザーは、ツボ早見表を記憶したり参照したりしなくても、ツボ位置を正確に把握して、的確にマッサージ又は指圧を行なうことができる。
【０１０８】
なお、図２３〜図２５には足裏のツボのみを取り上げたが、手のひらのツボ、肩のツボ、背中のツボ、腰のツボなど、他の部位についても同様に、本明細書で開示する技術を適用することができる。
【産業上の利用可能性】
【０１０９】
以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。
【０１１０】
ユーザーが頭部又は顔部に装着して用いる画像表示装置は、透過性のタイプと遮光性のタイプに分類することができるが、本明細書で開示する技術はこれらのいずれのタイプにも適用することができる。また、この種の画像表示装置は、左右両方の眼に表示部を備えた両眼タイプと、左右いずれか一方にのみ表示部を備えた単眼タイプに分類することができるが、本明細書で開示する技術はこれらのいずれのタイプにも適用することができる。勿論、ユーザーの頭部や顔部に装着しないタイプの画像表示装置に対して本明細書で開示する技術を適用しても、同様に、例えば手相占いや顔相占いといった身体的特徴に基づく診断又は占いの結果をユーザーに分かり易く表示することができるようになる。
【０１１１】
要するに、例示という形態により本明細書で開示する技術について説明してきたのであり、本明細書の記載内容を限定的に解釈するべきではない。本明細書で開示する技術の要旨を判断するためには、特許請求の範囲を参酌すべきである。
【０１１２】
なお、本明細書の開示の技術は、以下のような構成をとることも可能である。
（１）画像を表示する画像表示部と、
画像を入力する画像入力部と、
前記画像入力部に入力された画像を判定し、又は、前記入力された画像に対する判定結果を取得する判定部と、
前記判定部による前記判定結果に基づいて前記画像表示部を制御する制御部と、
を具備する、頭部又は顔部に装着型の画像表示装置。
（２）カメラをさらに備え、
前記画像入力部は、前記カメラで撮影した画像を入力する、
上記（１）に記載の画像表示装置。
（３）前記カメラは、ユーザーの視線方向又はユーザーの身体の少なくとも一部を撮影する、
上記（２）に記載の画像表示装置。
（４）画像を記憶する記憶部をさらに備え、
前記画像入力部は、前記記憶部から読み出した画像を入力する、
上記（１）に記載の画像表示装置。
（５）外部装置と通信する通信部をさらに備え、
前記画像入力部は、前記通信部を介して外部装置から取得した画像を入力する、
上記（１）に記載の画像表示装置。
（６）前記制御部は、前記判定結果を示す画像を前記画像表示部が表示する画像の該当する場所に重ね合わせて表示させる、
上記（１）に記載の画像表示装置。
（７）前記画像入力部は、前記画像表示部が表示する画像を入力し、
前記判定部は、前記入力画像中の特定の部位を判定し、
前記制御部は、前記判定結果を前記画像表示部が表示する画像中で前記特定の部位に該当する場所に重ね合わせて表示させる、
上記（１）に記載の画像表示装置。
（８）前記画像表示部は、前記画像をシースルーで表示し、
前記画像入力部は、ユーザーの視線方向をカメラで撮影した撮影画像を入力し、
前記判定部は、前記撮影画像中の特定の部位を判定し、
前記制御部は、前記ユーザーの視界上の前記特定の部位に重なり合うように、前記判定結果を前記画像表示部に表示させる、
上記（１）に記載の画像表示装置。
（９）前記画像表示部はユーザーの視線方向をカメラで撮影した撮影画像を表示するとともに、前記画像入力部は前記撮影画像を入力し、
前記判定部は、前記撮影画像中の特定の部位を判定し、
前記制御部は、前記判定結果を前記撮影画像中の前記特定の部位に重ね合わせて表示させる、
上記（１）に記載の画像表示装置。
（１０）前記判定部による判定結果、又は、前記判定結果に基づいて制御された画像を記憶する記憶部をさらに備える、
上記（１）に記載の画像表示装置。
（１１）前記判定部は、前記入力された画像中の特定の部位の特徴に基づく診断を行ない、
前記制御部は、前記診断の結果を前記画像表示部が表示する画像中で前記特定の部位に該当する場所に重ね合わせて表示させる、
上記（６）乃至（９）のいずれかに記載の画像表示装置。
（１２）前記判定部は、前記入力された画像に含まれる手のひらの手相線に対して手相診断を行ない、
前記制御部は、前記手相診断の結果を前記画像表示部が表示する画像中で前記手相線に該当する場所に重ね合わせて表示させる、
上記（６）乃至（９）のいずれかに記載の画像表示装置。
（１３）前記入力された画像に含まれる手のひらから手相線を抽出する特徴量抽出部をさらに備え、
前記判定部は、前記特徴量抽出部が抽出した手相線に基づいて手相診断を行なう、
上記（１２）に記載の画像表示装置。
（１４）前記制御部は、前記特徴量抽出部が抽出した手相線を前記画像表示部が表示する画像に重ね合わせて表示させる、
上記（１３）に記載の画像表示装置。
（１５）前記画像入力部は、左右の手のひらを含んだ画像を入力し、
前記判定部は、前記の入力された画像から左右の手相を診断する、
上記（１２）に記載の画像表示装置。
（１６）前記入力された画像に含まれる手のひらから手相線を抽出する特徴量抽出部をさらに備え、
前記制御部は、左右のうち一方の手のひらから抽出した手相線を左右反転して、他方の手のひらの手相線と重ね合わせて表示させる、
上記（１５）に記載の画像表示装置。
（１７）前記判定部は、前記入力された画像に含まれる手の少なくとも１つの指の付け根の掌丘を診断し、
前記制御部は、前記診断の結果を前記画像表示部が表示する画像中で前記掌丘に該当する場所に重ね合わせて表示させる、
上記（６）乃至（９）のいずれかに記載の画像表示装置。
（１８）前記判定部は、前記入力された画像に含まれる手の少なくとも１つの指の長さを診断し、
前記制御部は、前記診断の結果を前記画像表示部が表示する画像中で該当する指に重ね合わせて表示させる、
上記（６）乃至（９）のいずれかに記載の画像表示装置。
（１９）前記判定部は、前記入力された画像に含まれる顔画像に対して顔相診断を行ない、
前記制御部は、前記顔相診断の結果を前記画像表示部が表示する画像中で前記顔相診断の根拠となる場所に重ね合わせて表示させる、
上記（６）乃至（９）のいずれかに記載の画像表示装置。
（２０）前記判定部は、前記入力された画像に含まれる顔画像に対して肌診断を行ない、
前記制御部は、前記肌診断の結果を前記画像表示部が表示する画像中で前記肌診断の根拠となる場所に重ね合わせて表示させる、
上記（６）乃至（９）のいずれかに記載の画像表示装置。
（２１）  前記判定部は、前記入力された撮影画像に含まれる人の身体からツボ位置を特定し、
前記制御部は、特定した前記ツボ位置を前記画像表示部が表示する画像中の該当する場所に重ね合わせて表示させる、
上記（６）乃至（９）のいずれかに記載の画像表示装置。
（２２）頭部又は顔部に装着型の画像表示装置で画像を表示する画像表示方法であって、
画像を入力する画像入力ステップと、
前記画像入力ステップで入力された画像を判定し、又は、前記入力された画像に対する判定結果を取得する判定ステップと、
前記判定ステップによる前記判定結果に基づいて、表示する画像を制御する制御ステップと、
を有する画像表示方法。
（２３）頭部又は顔部に装着型の画像表示装置で画像を表示するための処理をコンピューター上で実行するようにコンピューター可読形式で記述されたコンピューター・プログラムであって、前記コンピューターを、
画像を入力する画像入力部、
前記画像入力部に入力された画像を判定し、又は、前記入力された画像に対する判定結果を取得する判定部、
前記判定部による前記判定結果に基づいて、表示する画像を制御する制御部、
として機能させるためのコンピューター・プログラム。
【先行技術文献】
【特許文献】
【０１１３】
【特許文献１】特開２００７−１８３号公報
【特許文献２】特開２０１０−１２３０２０号公報
【特許文献３】特開２０１１−２７５３号公報
【特許文献４】特開２００７−１３０１０４号公報
【特許文献５】特開２０１１−２０６５１３号公報
【符号の説明】
【０１１４】
１００…画像表示装置（透過型）
１０１Ｌ、１０１Ｒ…虚像光学部、１０２…支持体
１０３Ｌ、１０３Ｒ…マイクロフォン、１０４Ｌ、１０４Ｒ…表示パネル
３００…画像表示装置（没入型）
３０１Ｌ、３０１Ｒ…虚像光学部
３０３Ｌ、３０３Ｒ…マイクロフォン、３０４Ｌ、３０４Ｒ…表示パネル
３０５…眼幅調整機構
５０１…制御部、５０１Ａ…ＲＯＭ、５０１Ｂ…ＲＡＭ
５０２…入力操作部、５０３…リモコン受信部
５０４…姿勢・位置検出部、５０５…通信部、５０６…記憶部
５０７…画像処理部、５０８…表示駆動部
５０９…表示部、５１０…虚像光学部
５１１…状態検出部、５１２…外側カメラ
５１３…音声処理部、５１４…音声入出力部
６０１…画像入力部、６０２…特徴量抽出部
６０３…診断部、６０４…診断データベース
６０５…合成部
【図２】
2014140097.tif 000003
【図４】
2014140097.tif 000004
【図５】
2014140097.tif 000005
【図６】
2014140097.tif 000006
【図７】
2014140097.tif 000007
【図１９】
2014140097.tif 000008
【図２０】
2014140097.tif 000009
【図２１】
2014140097.tif 000010
【図２２】
2014140097.tif 000011
【図２３】
2014140097.tif 000012
【図２４】
2014140097.tif 000013
【図２５】
2014140097.tif 000014
【図１】
2014140097.tif 000015
【図３】
2014140097.tif 000016
【図８】
2014140097.tif 000017
【図９】
2014140097.tif 000018
【図１０】
2014140097.tif 000019
【図１１】
2014140097.tif 000020
【図１２】
2014140097.tif 000021
【図１３】
2014140097.tif 000022
【図１４】
2014140097.tif 000023
【図１５】
2014140097.tif 000024
【図１６】
2014140097.tif 000025
【図１７】
2014140097.tif 000026
【図１８】
2014140097.tif 000027